(57)【要約】【課題】ニアアイディスプレイ装置とヘッドホンとを有するシステムで、システムにつながるケーブルの本数を少なくして、使い勝手性を高める。【解決手段】ヘッドホン１０には、コントローラからのケーブル６１が接続されるケーブル接続部１４が設けられている。ケーブル接続部１４には、コントローラからの音声信号の他、画像信号、制御信号、電力が供給される。ニアアイディスプレイ装置２０は、ヘッドホンアーム１２に取り付け及び取り外し可能なアタッチメント４０と、ヘッドホン１０のケーブル接続部１４に対して着脱可能なディスプレイケーブル３９とが設けられている。このディスプレイケーブル３９には、ケーブル接続部１４からの画像信号、制御信号、電力が流れる。【選択図】  図２
2006203264.tif 000002
【特許請求の範囲】
【請求項１】
スピーカ及び該スピーカに連結されたヘッドホンアームを有し、頭部に装着可能なヘッドホンと、
画像表示部を有し、前記ヘッドホンに取り付け可能なニアアイディスプレイ装置と、
を備えているニアアイディスプレイシステムにおいて、
前記ニアアイディスプレイ装置は、前記ヘッドホンに、取り付け及び取り外しが可能なアタッチメントを有し、
前記ディスプレイ装置及び前記ヘッドホンは、互いに、電気的な接続及び切断が可能な電気接続部を有する、
ことを特徴とするニアアイディスプレイシステム。
【請求項２】
請求項１に記載のニアアイディスプレイシステムにおいて、
前記ニアアイディスプレイ装置は、外部から少なくとも電力、画像信号、音声信号を受ける外部接続部を有し、該外部接続部で受けたもののうち、少なくとも該音声信号を該ニアアイディスプレイ装置の前記電気接続部（以下、ディスプレイ側電気的接続部とする）を介して、前記ヘッドホンの前記電気接続部（以下、ヘッドホン側電気的接続部とする）に送信する、
ことを特徴とするニアアイディスプレイシステム。
【請求項３】
請求項２に記載のニアアイディスプレイシステムにおいて、
前記ヘッドホンの左右のそれぞれに、前記ヘッドホン側電気的接続部が設けられ、
前記ヘッドホン側電気的接続部は、所定の方向に並んだ複数の電気的接点を有し、
左右の一方に設けられている前記ヘッドホン側電気的接続部の前記複数の電気的接点の配列順序は、他方に設けられている前記ヘッドホン側電気的接続部の複数の電気的接点の配列順序とは、前記ヘッドホンの装着時において上下方向が逆である、
ことを特徴とするニアアイディスプレイシステム。
【請求項４】
請求項２に記載のニアアイディスプレイシステムにおいて、
前記ヘッドホンの左右のそれぞれに、前記ヘッドホン側電気的接続部が設けられ、
前記ヘッドホン側電気的接続部は、所定の方向に並んだ複数の電気的接点を有し、
左右の一方に設けられている前記ヘッドホン側電気的接続部の前記複数の電気的接点の配列順序は、他方に設けられている前記ヘッドホン側電気的接続部の複数の電気的接点の配列順序とは、前記ヘッドホンの装着時において電気的接点が配列されている面を正対して見ると左右方向が逆である、
ことを特徴とするニアアイディスプレイシステム。
【請求項５】
請求項２から４のいずれか一項に記載のニアアイディスプレイシステムにおいて、
前記アタッチメントは、該アタッチメントが取り付けられる前記ヘッドホンに対して、一定の方向に関して一定の幅内で相対移動可能であり、
前記ヘッドホン側電気的接続部の電気的接点と前記ディスプレイ側電気的接続部の電気的接点とのうち、いずれか一方は、前記一定の方向に関して、前記一定の幅を有している、
ことを特徴とするニアアイディスプレイシステム。
【請求項６】
請求項２から５のいずれか一項に記載のニアアイディスプレイシステムにおいて、
前記ニアアイディスプレイ装置の前記アタッチメントは、自身が変形して前記ヘッドホンの一部と嵌り合う嵌合手段を有する、
ことを特徴とするニアアイディスプレイシステム。
【請求項７】
請求項２から５のいずれか一項に記載のニアアイディスプレイシステムにおいて、
前記ニアアイディスプレイ装置の前記アタッチメントは、前記スピーカの頭部接触側と反対側の部分に対して、取り付け及び取り外しが可能である、
ことを特徴とするニアアイディスプレイシステム。
【請求項８】
請求項７に記載のニアアイディスプレイシステムにおいて、
前記アタッチメントが取り付けられる前記スピーカの部位には、前記ヘッドホン側電気的接続部の電気的接点が設けられ、
前記アタッチメントには、前記スピーカの前記部位に取り付けられた際に、前記ヘッドホン側電気的接続部の電気的接点と接続される、前記ディスプレイ側電気的接続部の電気的接点が設けられている、
ことを特徴とするニアアイディスプレイシステム。
【請求項９】
請求項７及び８のいずれか一項に記載のニアアイディスプレイシステムにおいて、
前記アタッチメントには、前記画像信号を処理して、処理した画像信号を前記画像表示部に送る回路が設けられている、
ことを特徴とするニアアイディスプレイシステム。
【請求項１０】
請求項７から９のいずれか一項に記載のニアアイディスプレイシステムにおいて、
前記ヘッドホンは、前記スピーカとして一対のスピーカを有し、前記ヘッドホンアームは、該一対のスピーカ相互を連結し、
前記一対のスピーカのそれぞれには、前記アタッチメントが取り付けられる被取付部が形成され、
前記一対のスピーカのうち、一方のスピーカの前記取り付け構造に前記アタッチメントが取り付けられたときに、他方のスピーカの前記被取付部に取り付けられ、該被取付部を隠す外装部材を備えている、
ことを特徴とするニアアイディスプレイシステム。
【請求項１１】
請求項１０に記載のニアアイディスプレイシステムにおいて、
前記アタッチメントには、前記スピーカに取り付けた際に、該スピーカ側に空洞部が形成され、
前記外装部材には、前記アタッチメントの前記空洞部と同じ形状で同じ大きさの空洞部が、該アタッチメントの前記空洞部と対応する位置に形成されている、
ことを特徴とするニアアイディスプレイシステム。
【請求項１２】
請求項７から１１のいずれか一項に記載のニアアイディスプレイシステムにおいて、
前記画像処理部を支持し、前記アタッチメントが取り付けられている支持部を備え、
前記支持部は、前記アタッチメントに対して相対回転可能に取り付けられている、
ことを特徴とするニアアイディスプレイシステム。
【請求項１３】
ユーザの眼前で画像表示する画像表示部を有するニアアイディスプレイ装置において、
ヘッドホンに対して取り付け及び取り外し可能なアタッチメントと、
前記画像表示部を前記アタッチメントと連結する支持部と、
前記アタッチメントに設けられ、該アタッチメントが前記ヘッドホンに取り付けられた際に、該ヘッドホンに設けられている電気的接点と接続される電気的接続部と、
を有することを特徴とするニアアイディスプレイ装置。
【請求項１４】
請求項１３に記載のニアアイディスプレイ装置において、
前記アタッチメントに対する前記画像表示部の位置及び／又は向きを変える表示部変位手段が該アタッチメントに設けられ、
前記電気的接続部は、導線を有し、
前記電気的接続部の前記導線は、前記アタッチメント及び前記表示部変位手段内に設けられている、
ことを特徴とするニアアイディスプレイ装置。
【請求項１５】
画像を表示する画像表示部を有するニアアイディスプレイ装置において、
頭部に装着可能なヘッドホンのスピーカに対して、取り付け及び取り外しが可能なアタッチメントと、
前記ヘッドホンに設けられた回路に対して、電気的な接続及び切断が可能な電気接続部と、
を備えていることを特徴とするニアアイディスプレイ装置。
【請求項１６】
一対のスピーカと、該一対のスピーカ相互を連結するヘッドホンアームとを備えているヘッドホンにおいて、
前記ヘッドホンアームの前記一対のスピーカのそれぞれの側の部位に、ユーザの眼前で画像表示する画像表示部を有するニアアイディスプレイ装置に対して切断可能に電気的接続する電気接続部が設けられている、
ことを特徴とするヘッドホン。
【請求項１７】
請求項１６に記載のヘッドホンにおいて、
前記ヘッドホンアームの前記一対のスピーカのそれぞれの側の部位には、前記ニアアイディスプレイ装置の取り付け及び取り外しが可能な被取付部が形成され、
前記被取付部のそれぞれには、前記ニアアイディスプレイ装置が取り付けられた際に、該ニアアイディスプレイ装置に設けられている電気的接点と接続される前記電気的接続部の電気的接点が設けられている、
ことを特徴とするヘッドホン。
【請求項１８】
スピーカ及び該スピーカが取り付けられているヘッドホンアームを備えているヘッドホンにおいて、
前記スピーカには、画像を表示する画像表示部を有するニアアイディスプレイ装置の取り付け及び取り外しが可能な被取付部が形成され、
前記ニアアイディスプレイ装置に設けられた回路に対して、電気的な接続及び切断が可能な電気接続部を備えている、
ことを特徴とするヘッドホン。
【発明の詳細な説明】
【技術分野】
【０００１】
ユーザの眼前で画像表示する画像表示部を備えているニアアイディスプレイシステム、これを構成するニアアイディスプレイ装置及びヘッドホンに関する。
【背景技術】
【０００２】
ユーザの眼前で画像表示するものとして、ニアアイディスプレイ又はヘッドマウントディスプレイと呼ばれる装置がある。
【０００３】
従来、このような装置として、例えば、以下の特許文献１に示すようなものがある。
【０００４】
この特許文献１に記載の装置は、頭部装着帯、表示デバイスを備えている。頭部装着帯の右目の傍及び左目の傍には、それぞれ、表示デバイスユニットの機械的な取り付け構造が設けられている。このように、この装置は、頭部装着帯の右目の傍及び左目の傍には、それぞれ、表示デバイスユニットの機械的な取り付け構造が設けられているため、右目の傍にも左目の傍にも表示デバイスユニットを配置できる。
【０００５】
【特許文献１】特開平１０−７４０５１号公報    図２
【発明の開示】
【発明が解決しようとする課題】
【０００６】
しかしながら、以上の従来技術では、表示デバイスユニットの信号ケーブルの一部が頭部装着体に固定されており、頭部装着体に対する表示デバイスユニットの取り付け位置を変えることができるものの、頭部装着体がヘッドホンと同じ機能を有した場合、この頭部装着体、つまりヘッドホンに配線ケーブルがぶら下がる上に、表示デバイスユニットにも配線ケーブルがぶら下がり、使い勝手がよくないという問題点がある。
【０００７】
本発明は、このような従来の問題点を鑑みてなされたもので、ヘッドホンの機能を有する頭部装着体に取り付けることができ、しかも使い勝手のよいニアアイディスプレイシステム、これを構成するニアアイディスプレイ装置及びヘッドホンを提供することを目的とする。
【課題を解決するための手段】
【０００８】
上記問題点を解決するための請求項１に係る発明のニアアイディスプレイシステムは、
スピーカ及び該スピーカに連結されたヘッドホンアームを有し、頭部に装着可能なヘッドホンと、画像表示部を有し、前記ヘッドホンに取り付け可能なニアアイディスプレイ装置と、を備えているニアアイディスプレイシステムにおいて、
前記ニアアイディスプレイ装置は、前記ヘッドホンに、取り付け及び取り外しが可能なアタッチメントを有し、前記ディスプレイ装置及び前記ヘッドホンは、互いに、電気的な接続及び切断が可能な電気接続部を有することを特徴とする。
【０００９】
請求項２に係る発明のニアアイディスプレイシステムは、
請求項１に記載のニアアイディスプレイシステムにおいて、
前記ニアアイディスプレイ装置は、外部から少なくとも電力、画像信号、音声信号を受ける外部接続部を有し、該外部接続部で受けたもののうち、少なくとも該音声信号を該ニアアイディスプレイ装置の前記電気接続部（以下、ディスプレイ側電気的接続部とする）を介して、前記ヘッドホンの前記電気接続部（以下、ヘッドホン側電気的接続部とする）に送信することを特徴とする。
【００１０】
請求項３に係る発明のニアアイディスプレイシステムは、
請求項２に記載のニアアイディスプレイシステムにおいて、
前記ヘッドホンの左右のそれぞれに、前記ヘッドホン側電気的接続部が設けられ、
前記ヘッドホン側電気的接続部は、所定の方向に並んだ複数の電気的接点を有し、
左右の一方に設けられている前記ヘッドホン側電気的接続部の前記複数の電気的接点の配列順序は、他方に設けられている前記ヘッドホン側電気的接続部の複数の電気的接点の配列順序とは、前記ヘッドホンの装着時において上下方向が逆であることを特徴とする。
【００１１】
請求項４に係る発明のニアアイディスプレイシステムは、
請求項２に記載のニアアイディスプレイシステムにおいて、
前記ヘッドホンの左右のそれぞれに、前記ヘッドホン側電気的接続部が設けられ、
前記ヘッドホン側電気的接続部は、所定の方向に並んだ複数の電気的接点を有し、
左右の一方に設けられている前記ヘッドホン側電気的接続部の前記複数の電気的接点の配列順序は、他方に設けられている前記ヘッドホン側電気的接続部の複数の電気的接点の配列順序とは、前記ヘッドホンの装着時において電気的接点が配列されている面を正対して見ると左右方向が逆であることを特徴とする。
【００１２】
請求項５に係る発明のニアアイディスプレイシステムは、
請求項２から４のいずれか一項に記載のニアアイディスプレイシステムにおいて、
前記アタッチメントは、該アタッチメントが取り付けられる前記ヘッドホンに対して、一定の方向に関して一定の幅内で相対移動可能であり、
前記ヘッドホン側電気的接続部の電気的接点と前記ディスプレイ側電気的接続部の電気的接点とのうち、いずれか一方は、前記一定の方向に関して、前記一定の幅を有していることを特徴とする。
【００１３】
請求項６に係る発明のニアアイディスプレイシステムは、
請求項２から５のいずれか一項に記載のニアアイディスプレイシステムにおいて、
前記ニアアイディスプレイ装置の前記アタッチメントは、自身が変形して前記ヘッドホンの一部と嵌り合う嵌合手段を有することを特徴とする。
【００１４】
請求項７に係る発明のニアアイディスプレイシステムは、
請求項２から５のいずれか一項に記載のニアアイディスプレイシステムにおいて、
前記ニアアイディスプレイ装置の前記アタッチメントは、前記スピーカの頭部接触側と反対側の部分に対して、取り付け及び取り外しが可能であることを特徴とする。
【００１５】
請求項８に係る発明のニアアイディスプレイシステムは、
請求項７に記載のニアアイディスプレイシステムにおいて、
前記アタッチメントが取り付けられる前記スピーカの部位には、前記ヘッドホン側電気的接続部の電気的接点が設けられ、
前記アタッチメントには、前記スピーカの前記部位に取り付けられた際に、前記ヘッドホン側電気的接続部の電気的接点と接続される、前記ディスプレイ側電気的接続部の電気的接点が設けられていることを特徴とする。
【００１６】
請求項９に係る発明のニアアイディスプレイシステムは、
請求項７及び８のいずれか一項に記載のニアアイディスプレイシステムにおいて、
前記アタッチメントには、前記画像信号を処理して、処理した画像信号を前記画像表示部に送る回路が設けられていることを特徴とする。
【００１７】
請求項１０に係る発明のニアアイディスプレイシステムは、
請求項７から９のいずれか一項に記載のニアアイディスプレイシステムにおいて、
前記ヘッドホンは、前記スピーカとして一対のスピーカを有し、前記ヘッドホンアームは、該一対のスピーカ相互を連結し、
前記一対のスピーカのそれぞれには、前記アタッチメントが取り付けられる被取付部が形成され、
前記一対のスピーカのうち、一方のスピーカの前記取り付け構造に前記アタッチメントが取り付けられたときに、他方のスピーカの前記被取付部に取り付けられ、該被取付部を隠す外装部材を備えていることを特徴とする。
【００１８】
請求項１１に係る発明のニアアイディスプレイシステムは、
請求項１０に記載のニアアイディスプレイシステムにおいて、
前記アタッチメントには、前記スピーカに取り付けた際に、該スピーカ側に空洞部が形成され、
前記外装部材には、前記アタッチメントの前記空洞部と同じ形状で同じ大きさの空洞部が、該アタッチメントの前記空洞部と対応する位置に形成されていることを特徴とする。
【００１９】
請求項１２に係る発明のニアアイディスプレイシステムは、
請求項７から１１のいずれか一項に記載のニアアイディスプレイシステムにおいて、
前記画像処理部を支持し、前記アタッチメントが取り付けられている支持部を備え、
前記支持部は、前記アタッチメントに対して相対回転可能に取り付けられていることを特徴とする。
【００２０】
ここで、請求項６に係る発明の前記嵌合手段は、少なくとも一部が弾性材で形成され、該少なくとも一部の弾性変形により前記ヘッドホンのヘッドホンアームを把持する、又は前記ヘッドホンのスピーカに嵌り込むものであってもよい。また、前記嵌合手段は、前記ヘッドホンアームの一部を両側から挟み込むための第一の把持部及び第二の把持部と、該第二の把持部を該第一の把持部側へ押す押圧部材とを有し、該第二の把持部の移動による該嵌合手段の変形で、該第一の把持部と該第二の把持部との間で前記ヘッドホンアームの一部を把持するものであってもよい。この場合、前記嵌合手段は、互いに対向し合っている一対の側壁を有する溝部材を有し、前記第一の把持部は、前記溝部材の一方の前記側壁であり、前記押圧部材は、前記溝部の他方の前記側壁に螺合しているネジ部材又は、該他方の側壁に取り付けられている弾性部材であり、前記第二の把持部は、前記ネジ部材又は前記弾性部材の先端に取り付けられているものであってもよい。
【００２１】
また、以上の各ニアアイディスプレイ装置は、前記アタッチメントから前記アーム支持部にかけてのいずれかの部位は、該アタッチメントを前記ヘッドホンアームに取り付けた際に、該ヘッドホンアームに連結しているヘッドホンスピーカを該アーム支持部が避けるために該ヘッドホンスピーカから遠ざかる方向成分を有する方向に伸びる逃げ部を形成しているものであってもよい。
【００２２】
また、以上の各ニアアイディスプレイ装置は、
前記アタッチメントに対する前記画像表示部の位置及び／又は向きを変える表示部変位手段を備えていてもよい。
【００２３】
また、以上の各ニアアイディスプレイ装置は、
前記アタッチメントを前記ヘッドホンアームに取り付けた際の上下方向に関して、少なくとも前記画像表示部の外観形状は該上下方向に対称性を有することが好ましい。
【００２４】
さらに、以上の各ニアアイディスプレイ装置は、
前記アタッチメントを前記ヘッドホンアームの右耳側に結合させたか左耳側に結合させたかを検知する検知手段を備え、前記画像表示部は、前記検知手段による検知結果に応じて出力画像の上下を反転させる表示制御手段を有していてもよい。この検知手段としては、アタッチメントの取付位置に応じて、画像表示部の上下が反転するので、上下の反転を検知する重力センサが考えられる。また、この検知手段としては、アタッチメントにディスプレイ側電気的接続部の電気的接点が設けられている場合、この電気的接点とヘッドホン側電気的接続部の左右の電気的接点とのうち、いずれか一方の導通状態を検知する電流センサも考えられる。
【００２５】
請求項１３に係る発明のニアアイディスプレイ装置は、
ユーザの眼前で画像表示する画像表示部を有するニアアイディスプレイ装置において、
ヘッドホンに対して取り付け及び取り外し可能なアタッチメントと、
前記画像表示部を前記アタッチメントと連結する支持部と、
前記アタッチメントに設けられ、該アタッチメントが前記ヘッドホンに取り付けられた際に、該ヘッドホンに設けられている電気的接点と接続される電気的接続部と、
を有することを特徴とする。
【００２６】
請求項１４に係る発明のニアアイディスプレイ装置は、
請求項１３に記載のニアアイディスプレイ装置において、
前記アタッチメントに対する前記画像表示部の位置及び／又は向きを変える表示部変位手段が該アタッチメントに設けられ、
前記電気的接続部は、導線を有し、
前記電気的接続部の前記導線は、前記アタッチメント及び前記表示部変位手段内に設けられていることを特徴とする。
【００２７】
請求項１５に係る発明のニアアイディスプレイ装置は、
画像を表示する画像表示部を有するニアアイディスプレイ装置において、
頭部に装着可能なヘッドホンのスピーカに対して、取り付け及び取り外しが可能なアタッチメントと、
前記ヘッドホンに設けられた回路に対して、電気的な接続及び切断が可能な電気接続部とを備えていることを特徴とする。
【００２８】
請求項１６に係る発明のヘッドホンは、
一対のスピーカと、該一対のスピーカ相互を連結するヘッドホンアームとを備えているヘッドホンにおいて、
前記ヘッドホンアームの前記一対のスピーカのそれぞれの側の部位に、ユーザの眼前で画像表示する画像表示部を有するニアアイディスプレイ装置に対して切断可能に電気的接続する電気接続部が設けられていることを特徴とする。
【００２９】
請求項１７に係る発明のヘッドホンは、
請求項１６に記載のヘッドホンにおいて、
前記ヘッドホンアームの前記一対のスピーカのそれぞれの側の部位には、前記ニアアイディスプレイ装置の取り付け及び取り外しが可能な被取付部が形成され、
前記被取付部のそれぞれには、前記ニアアイディスプレイ装置が取り付けられた際に、該ニアアイディスプレイ装置に設けられている電気的接点と接続される前記電気的接続部の電気的接点が設けられていることを特徴とする。
【００３０】
請求項１８に係る発明のヘッドホンは、
スピーカ及び該スピーカが取り付けられているヘッドホンアームを備えているヘッドホンにおいて、
前記スピーカには、画像を表示する画像表示部を有するニアアイディスプレイ装置の取り付け及び取り外しが可能な被取付部が形成され、
前記ニアアイディスプレイ装置に設けられた回路に対して、電気的な接続及び切断が可能な電気接続部を備えていることを特徴とする。
【発明の効果】
【００３１】
本発明によれば、ヘッドホンとニアアイディスプレイ装置とに、映像信号及び音声信号の両方を一つの配線ケーブルで供給することができるので、使い勝手を向上させることができる。また、機械的及び電気的接続を解除できるので、ヘッドホン単独で使用することができる。
【発明を実施するための最良の形態】
【００３２】
以下、本発明に係るニアアイディスプレイシステムの各種実施形態について説明する。
【００３３】
まず、本発明に係るニアアイディスプレイシステムの第１の実施形態について、図１〜図５を用いて説明する。なお、図１は、第１の実施形態としてのニアアイディスプレイシステム（結合時）の斜視図で、図２は、同ニアアイディスプレイシステム（非結合時）の斜視図で、図３は、図１におけるIII−III線断面図で、図４は、同ニアアイディスプレイシステムのアタッチメントの断面図で、図５は、同ニアアイディスプレイシステムの回路ブロック図である。
【００３４】
本実施形態のニアアイディスプレイシステムは、図１および図２に示すように、ヘッドホン１０と、このヘッドホン１０に装着可能なニアアイディスプレイ装置２０と、を備えている。
【００３５】
ヘッドホン１０は、左右のスピーカ１１Ｌ，１１Ｒと、左右のスピーカ１１Ｌ，１１Ｒ相互を接続するヘッドホンアーム１２と、左右のスピーカ１１Ｌ，１１Ｒに設けられている耳掛け部１３Ｌ，１３Ｒと、ヘッドホンアーム１２のほぼ中央部に設けられているケーブル接続部（外部接続部）１４と、を備えている。このヘッドホン１０は、ユーザの後頭部にアーム１０を回すリアアーム式のヘッドホンである。
【００３６】
ニアアイディスプレイ装置２０は、ユーザの眼前で画像を表示する画像表示部２１と、ヘッドホンアーム１２に結合するアタッチメント４０と、画像表示部２１をアタッチメント４０に連結する支持部３０と、ヘッドホン１０と電気的に接続するためのディスプレイ側電気的接続部としてのケーブル３９と、を備えている。支持部３０は、断面が楕円形の棒状のディスプレイアーム３１と、このディスプレイアーム３１を収納する収納部３３とを有している。ディスプレイアーム３１は、その長手方向の形状が使用者の頭部の形状に対応して湾曲している。収納部３３は、この湾曲したディスプレイアーム３１のほとんどを収納できる内部空間を有している。このニアアイディスプレイ装置２０は、これをユーザの頭部に装着した際の上下方向に関して、画像表示部２２の表示画面を含め、その外観形状が上下方向に対称性を有している。
【００３７】
収納部３３は、図３に示すように、ディスプレイアーム３１を収納する収納ケース３６と、ディスプレイアーム３１をスライド可能に支持する複数の軸受け３７と、ディスプレイアーム３１を移動させる駆動ローラ３８と、を有している。収納ケース３６には、一方の端部側に、ディスプレイアーム３１が侵入するための開口３４が形成され、他方の端部にヘッドホン１０と電気的に接続するためのディスプレイケーブル（ディスプレイ側電気的接続部）３９が設けられ、さらに、アタッチメント４０との接続部分に逃げ部３５が形成されている。この逃げ部３５は、アタッチメント４０をヘッドホンアーム１２に結合させた際、ヘッドホン１０のスピーカ１１Ｌ又は１１Ｒと収納ケース３６とが干渉し合うのを回避するために、収納ケース３６をスピーカ１１Ｌ又は１１Ｒから離す役目を担い、ディスプレイアーム３１をヘッドホンアーム１２から遠ざける方向に伸びている。駆動ローラ３８には、後述のアーム駆動モータ（図５に示す）が接続されている。画像表示部２１は、表示デバイス２２と、その光学系２３とを有している。
【００３８】
アタッチメント４０は、図４（ａ）に示すように、樹脂等の弾性を有する材料で、断面がＣ字型になるように形成されている。Ｃ字の開口の間隔ｄは、断面が楕円形のヘッドホンアーム１２の短径ｒ２より僅かに大きいが、ヘッドホンアーム１２の長径ｒ１より小さい。このため、ヘッドホンアーム１２の短径ｒ２が垂直になるようにしてから、図中のＡ方向からアーム１２をアタッチメント４０に近づけると、アタッチメント４０内に、簡単にアーム１２を入れることができる。その後、アーム１２を相対的に９０°回転させると、同図（ｂ）に示すように、アーム１２がアタッチメント４０内に完全に納まる。この際、アタッチメント４０のＣ字の開口は、弾性変形して僅かに広がり、アーム１２をしっかりと把持する。これにより、ニアアイディスプレイ装置２０は、ヘッドホンアーム１２に機械的に結合したことになる。このように、本実施形態では、ニアアイディスプレイ装置を取り付けるために、専用のアタッチメントをヘッドホン側に設けなくてもよい。つまり、本実施形態では、専用のヘッドホンを用いなくてもよい。また、本実施形態では、アタッチメント４０の弾性変形によりヘッドホンアーム１２を把持しているので、ヘッドホンアーム１２の断面形状が多少異なるものであっても対応することができる。
【００３９】
ヘッドホン１０のケーブル接続部（外部接続部）１４には、図５に示すように、ヘッドホン１０やニアアイディスプレイ装置２０を制御するコントローラ６０が接続される。このコントローラ６０は、ヘッドホン１０のケーブル接続部１４と接続されるコントローラケーブル６１と、外部から画像信号を受信する画像信号受信端６２と、外部から音声信号を受信する音声信号受信端６３と、ユーザが操作する操作部６４と、画像信号や音声信号を記憶しておく信号記憶部６５と、音声信号を増幅するアンプ６６と、操作部６４からの指示に従って各部へ制御信号を送る制御部６７と、主電源回路６８と、を有している。コントローラケーブル６１は、電気的接点が設けられているコネクタ６１ａを有しており、ここに、アンプ６６から音声信号をヘッドホン１０のケーブル接続部１４に送る音声信号線Ｓ１、信号記憶部６５及び画像信号受信端６２からの画像信号をヘッドホン１０のケーブル接続部１４に送る画像信号線Ｉ１、制御部６７からの制御信号をヘッドホン１０のケーブル接続部１４に送る制御信号線Ｃ１、主電源回路６８からの電力をヘッドホン１０のケーブル接続部１４に送る電源線Ｐ１が設けられている。
【００４０】
ヘッドホン１０のケーブル接続部１４には、コントローラケーブル６１のコネクタ６１ａに接続されるコントローラ側コネクタ１５ａと、ディスプレイケーブル３９のコネクタ３９ａに接続されるディスプレイ側コネクタ（ヘッドホン側電気的接続部）１５ｂとが設けられている。コントローラ側コネクタ１５ａと、ディスプレイ側コネクタ１５ｂとは、画像信号線Ｉ２、制御信号線Ｃ２、電源線Ｐ２、及び図示を省略したグランド線で接続されている。コントローラケーブル６１に設けられている画像信号線Ｉ１、制御信号線Ｃ１、電源線Ｐ１及びグランド線は、それぞれ、ヘッドホン１０のコントローラ側コネクタ１５ａに接続されている画像信号線Ｉ２、制御信号線Ｃ２、電源線Ｐ２及びグランド線と、コネクタ６１ａ，１５ａを介して接続される。また、コントローラケーブル６１に設けられている音声信号線Ｓ１は、コネクタ６１ａ，１５ａ及び音声信号線Ｓ２を介して、各スピーカ１１Ｒ，１１Ｌと接続される。
【００４１】
ニアアイディスプレイ装置２０の収納ケース３６内には、表示デバイス２２に画像信号を送る表示処理部２４と、ディスプレイアーム３１を移動させるアーム駆動制御部２５と、上下方向を検知して検知結果を表示処理部２４に知らせる重力センサ２８と、これらの部位２４，２５，２８及び表示デバイス２２に電力を供給する電源回路２９と、が設けられている。アーム駆動制御部２５は、ディスプレイアーム３１を移動させる駆動源としてのアーム駆動モータ２６と、ディスプレイアーム３１の前進限界位置及び後退限界位置を検知するセンサ２７とを有している。ディスプレイケーブル３９には、ヘッドホン１０のディスプレイ側コネクタ１５ｂの画像信号線Ｉ２とコネクタ３９ａを介して接続される画像信号線Ｉ３と、ディスプレイ側コネクタ１５ｂの制御信号線Ｃ２とコネクタ３９ａを介して接続される制御信号線Ｃ３と、ディスプレイ側コネクタ１５ｂの電源線Ｐ２とコネクタ３９ａを介して接続される電源線Ｐ３と、グランド線とが設けられている。ディスプレイケーブル３９の画像信号線Ｉ３は、収納ケース３６内の表示処理部２４と接続され、ディスプレイケーブル３９の制御信号線Ｃ３は、収納ケース３６内の表示処理部２４及びアーム駆動制御部２５と接続され、ディスプレイケーブル３９の電源線Ｐ３は、収納ケース３６内の電源回路２９と接続されている。また、ディスプレイアーム３１には、収納ケース３６内の表示処理部２４からの画像信号を表示デバイス２２に送るための画像信号線Ｉ４、収納ケース３６内の電源回路２９からの電力を表示デバイス２２に供給するための電源線Ｐ４、及びグランド線が設けられている。
【００４２】
以上のように、本実施形態では、コントローラ６０からの音声信号はもちろん、画像信号、制御信号、電力は、いずれも、ヘッドホン１０のケーブル接続部１４に送られ、このうち、音声信号はヘッドホン１０の各スピーカ１１Ｒ，１１Ｌに送られ、画像信号、制御信号及び電力は、このヘッドホン１０のケーブル接続部１４を介してニアアイディスプレイ装置２０の収納部３３へ送られる。すなわち、本実施形態では、コントローラ６０からニアアイディスプレイ装置２０及びヘッドホン１０に送る信号等の全てを一旦、ヘッドホン１０に送ることで、コントローラ６０から伸びるケーブルの本数を少なくしている。
【００４３】
ヘッドホン１０と共にニアアイディスプレイ装置２０を使用する際には、前述したように、ニアアイディスプレイ装置２０のアタッチメント４０を、ヘッドホンアーム１２に機械的に結合させる。この際、ヘッドホンアーム１２の右側スピーカ１１Ｒ近傍と左側スピーカ１１Ｌ近傍とのうち、いずれの部位にニアアイディスプレイ装置２０のアタッチメント４０を結合させてもよい。続いて、ディスプレイケーブル３９をヘッドホン１０のディスプレイ側コネクタ１５ｂに接続して、ヘッドホン１０とニアアイディスプレイ装置２０とを電気的に接続する。さらに、コントローラケーブル６１をヘッドホン１０のコントローラ側コネクタ１５ａに接続して、コントローラ６０とヘッドホン１０とを電気的に接続する。なお、以上のニアアイディスプレイ装置２０とヘッドホン１０との機械的結合、及び電気的接続、さらに、コントローラ６０とヘッドホン１０の電気的接続は、その順序を問わない。
【００４４】
そして、ニアアイディスプレイ装置２０が機械的及び電気的に接続されたヘッドホン１０を頭部に装着する。
【００４５】
仮に、ユーザが映像と共に音声を出力させたい場合には、コントローラ６０の操作部６４の再生ボタン等を操作する。再生ボタンが押されると、まず、主電源回路６８からの電力及び制御部６７からアーム駆動制御信号が出力され、この電力及び信号がヘッドホン１０のケーブル接続部１４を介して、ニアアイディスプレイ装置２０に送られる。電力は、ニアアイディスプレイ装置２０の電源回路２９に送られた後、ニアアイディスプレイ装置２０内の各部に供給される。一方、アーム駆動制御信号は、ニアアイディスプレイ装置２０のアーム駆動制御部２５に送られる。この結果、このアーム駆動制御部２５のアーム駆動モータ２６が駆動して、ディスプレイアーム１２を収納位置から表示可能位置まで突出させる。アーム駆動制御部２５のセンサ２６が前進限界位置（＝表示可能位置）を検知すると、その旨がコントローラ６０の制御部６７に伝えられ、この制御部６７からの指示で、信号記憶部６５に記憶されている画像信号及び音声信号、又は画像信号受信端６２からの画像信号及び音声信号受信端６３からの音声信号が、ヘッドホン１０のケーブル接続部１４に出力される。
【００４６】
コントローラ６０からの音声信号は、ヘッドホン１０の各スピーカ１１Ｒ，１１Ｌに送られ、この音声信号に対応した音声が再生される。また、コントローラ６０から画像信号は、ヘッドホン１０のケーブル接続部１４及びニアアイディスプレイ装置２０の表示処理部２４を介して、表示デバイス２２に送られ、この画像信号に対応した画像が再生される。
【００４７】
仮に、ニアアイディスプレイ装置２０のアタッチメント４０を、ヘッドホンアーム１２の左側スピーカ１１Ｌ近傍の部位から外して、ヘッドホンアーム１２の右側スピーカ１１Ｒ近傍の部位に機械的に結合させた場合には、ニアアイディスプレイ装置２０の上下が反転することになる。しかしながら、本実施形態のニアアイディスプレイ装置２０は、これをユーザの頭部に装着した際の上下方向に関して、画像表示部２２の表示画面を含め、その外観形状が上下方向に対称性を有しているので、ニアアイディスプレイ装置２０の左右取付位置の変更に伴って、ニアアイディスプレイ装置２０の上下が反転しても、違和感なく使用できる。また、左右取付位置の変更で画像表示部２０の上下が反転しても、この状況を重力センサ２８が検知し、表示処理部２４により自動的に表示画像の上下が反転し、表示画像の上方が上方に表示されるので、ニアアイディスプレイ装置２０の左右取付位置の変更に伴う、画像の上下反転という不具合を解消することができる。
【００４８】
また、ヘッドホン１０を単独で使用する場合には、ニアアイディスプレイ装置２０のディスプレイケーブル３９をヘッドホン１０のケーブル接続部１４から外すと共に、ニアアイディスプレイ装置２０のアタッチメント４０をヘッドホンアーム１２から外す。すなわち、ヘッドホン１０とニアアイディスプレイ装置２０との機械的及び電気的接続を解除する。その上で、コントローラ６０から音声信号をヘッドホン１０に送ることで、ヘッドホンの各スピーカ１１Ｒ，１１Ｌにより、この音声信号に対応した音声が再生される。
【００４９】
以上のように、本実施形態では、ヘッドホン１０とニアアイディスプレイ装置２０との機械的及び電気的接続を解除できるので、ヘッドホン１０単独で使用することができる。しかも、本実施形態では、頭部装着帯であるヘッドホンアーム１２に特別な取付機構を設けなくても、ニアアイディスプレイ装置２０を機械的に結合させることができるので、ヘッドホン単体での使用時の美観を向上させることができる。
【００５０】
なお、本実施形態では、コントローラ６０内にアンプ６６を設けたが、ヘッドホン１０内にアンプを設けてもよい。この場合、コントローラ６０からヘッドホン１０内のアンプへ電力を供給する配線を設ければよい。また、本実施形態では、ニアアイディスプレイ装置２０の収納部３３に表示処理部２４を設けたが、この一部の機能、例えば、表示デバイス２２の駆動機能を画像表示部２１に設けても、また、表示処理部２１の全ての機能を画像表示部２１に設けてもよい。すなわち、ニアアイディスプレイ装置２０の各種機能部位の一部、コントローラ６０の各種機能部位の一部を、適宜、別の部位に設けてもよい。
【００５１】
次に、本実施形態におけるアタッチメント４０の第１及び第２の変形例について、それぞれ、図６及び図７を用いて説明する。なお、図６は、アタッチメントの第１の変形例の断面図で、図７は、アタッチメントの第２の変形例の断面図である。
【００５２】
第１の変形例としてのアタッチメント４０ａは、図６に示すように、互いに対向し合っている一対の側壁４２ａ，４２ｂを有する溝部材４１と、この溝部材４１の一方の側壁（以下、第一の把持部とする）４２ａと間でヘッドホンアーム１２を把持する第二の把持部４３と、第二の把持部４３を第一の把持部４２ａ側へ押す押圧部材としてのネジ部材４４と、を有している。
【００５３】
溝部材４１は、収納部３３の逃げ部３５と一体形成されている。この溝部材４１の逃げ部３５側の側壁４２ａが第一の把持部を形成している。溝部材４１の他方の側壁４２ｂには、ネジ孔が形成されており、ここに押圧部材であるネジ部材４４が捻じ込まれている。第二の把持部４３は、このネジ部材４４の先端に取り付けられている。
【００５４】
ヘッドホンアーム１２にこのアタッチメント４０ａを結合させる場合には、第一の把持部４２ａと第二の把持部４３との間に、ヘッドホンアーム１２の一部を位置させ、ネジ部材４４を捩じって、第一の把持部４２ａと第二の把持部４３との間隔を狭め、両把持部４２ａ，４３によりヘッドホンアーム１２を把持させる。
【００５５】
第２の変形例としてのアタッチメント４０ｂは、図７に示すように、第１の変形例における押圧部材としてのネジ部材４４を弾性部材であるスプリングコイル４４ｂに替えたものである。
【００５６】
ヘッドホンアーム１２にこのアタッチメント４０ｂを結合させる場合には、第一の把持部４２ａと第二の把持部４３との間を広げて、スプリングコイル４４ｂを縮めてから、この間に、ヘッドホンアーム１２の一部を位置させると、スプリングコイル４４ｂの弾性力により第二の把持部４３が第一の把持部４２ｂ側へ押させて、両把持部４２ｂ，４３間でヘッドホンアーム１２が把持される。
【００５７】
以上、第１の及び第２の変形例でも、ヘッドホンアーム１２を単に把持することで、ニアアイディスプレイ装置２０をヘッドホンアーム１２に取り付けることができる。また、これらの変形例でも、第二の把持部４３の移動によるアタッチメント４０ａ，４０ｂの変形でヘッドホンアーム１２を把持しているので、ヘッドホンアーム１２の断面形状が多少異なるものであっても対応することができる。
【００５８】
次に、第1の実施形態におけるヘッドホン１０の変形例について、図８を用いて説明する。
【００５９】
本変形例のヘッドホン１０ａは、第１の実施形態におけるケーブル接続部１４を、三つに分割したものである。具体的に、本変形例におけるケーブル接続部１４ａ，１４Ｒ，１４Ｌは、コントローラ６０からのコントローラケーブル６１が接続されるコントローラケーブル接続部１４ａと、ニアアイディスプレイ装置２０からのディスプレイケーブル３９が接続される２つのディスプレイケーブル接続部１４Ｒ，１４Ｌとがある。
【００６０】
コントローラケーブル接続部１４ａは、第１の実施形態におけるケーブル接続部１４と同じ位置、つまり、ヘッドホンアーム１２の中央に設けられ、２つのディスプレイケーブル接続部１４Ｒ，１４Ｌは、それぞれ、左右のスピーカ１１Ｒ，１１Ｌとコントローラケーブル接続部１４ａとの間に設けられている。各ディスプレイケーブル接続部１４Ｒ，１４Ｌには、ディスプレイケーブル３９のコネクタ３９ａが接続可能なコネクタが設けられている。各ディスプレイケーブル接続部１４Ｒ，１４Ｌのコネクタには、それぞれ、後述の第３の実施形態と同様、コントローラケーブル接続部１４ａのコネクタから電源線Ｐ２、画像信号線Ｉ２、制御信号線Ｃ２及びグランド線がそれぞれ分岐して接続されている。
【００６１】
以上のように、２つのディスプレイケーブル接続部１４Ｒ，１４Ｌを、左右のスピーカ１１Ｒ，１１Ｌ近傍に配置することにより、これに接続されるディスプレイケーブル３９の長さを短くすることができる。なお、本変形例では、ディスプレイケーブル３９が接続されていないディスプレイケーブル接続部１４Ｒ又は１４Ｌには、画像信号線Ｉ２から供給される画像信号を消費する終端抵抗を着脱可能に設けることが好ましい。
【００６２】
次に、図９〜図１１を用いて、本発明に係るニアアイディスプレイシステムの第２の実施形態について説明する。なお、図９は、第２の実施形態としてのニアアイディスプレイシステムの斜視図（結合時）で、図１０は、同ニアアイディスプレイシステム（非結合時）の斜視図で、図１１は、同ニアアイディスプレイシステムの回路ブロック図である。
【００６３】
本実施形態のニアアイディスプレイシステムは、図９及び図１０に示すように、第１の実施形態と、その機械的構成が基本的に同じで、その電源線や信号線等の配置が異なっている。
【００６４】
ニアアイディスプレイ装置２０ｂの収納ケース３６で、ヘッドホンアーム３１の挿入口とは反対側の端部には、ヘッドホン１０ｂから伸びるヘッドホンケーブル１９及びコントローラから伸びるコントローラケーブル６１が接続される接続部が設けられている。この収納ケース３６内には、図１１に示すように、第1の実施形態と同様、表示処理部２４、アーム駆動制御部２５、重力センサ２８及び電源回路２９が設けられている。コントローラケーブル６１が接続される接続部には、コントローラ側コネクタ（外部接続部）３９ｃが設けられ、ヘッドホンケーブル１９が接続される接続部には、ヘッドホン側コネクタ３９ｂが設けられている。コントローラ側コネクタ３９ｃには、コントローラケーブル６１の画像信号線Ｉ１とコネクタ６１ａを介して接続される画像信号線Ｉ２ｂと、コントローラケーブル６１の制御信号線Ｃ１とコネクタ６１ａを介して接続される制御信号線Ｃ２ｂと、コントローラケーブル６１の電源線Ｐ１とコネクタ６１ａを介して接続される電源線Ｐ２ｂと、コントローラケーブル６１の音声信号Ｓ１とコネクタ６１ａを介して接続される音声信号Ｓ２ｂとが接続されている。このコントローラ側コネクタ３９ｃから伸びる画像信号線Ｉ２ｂには、表示処理部２４が接続され、制御信号線Ｃ２ｂには、表示処理部２４、アーム駆動制御部２５及び重力センサ２８が接続され、電源線Ｐ２ｂには、電源回路２９が接続されている。また、図示されていないグランド線も互いに接続されている。また、音声信号線Ｓ２ｂ及びグランド線は、ヘッドホン側コネクタ３９ｂに接続されている。
【００６５】
ヘッドホン１０ｂのケーブル接続部１４ｂには、ヘッドホンケーブル１９が設けられており、このヘッドホンケーブル１９のコネクタ（ヘッドホン側電気的接続部）１９ｂと、ニアアイディスプレイ装置２０ｂのヘッドホン側コネクタ（ディスプレイ側電気的接続部）３９ｂとが接続されることになる。
【００６６】
すなわち、本実施形態では、コントローラ６０からの画像信号、音声信号、制御信号及び電力は、全てニアアイディスプレイ装置２０ｂに送られ、これらのうち、音声信号のみがニアアイディスプレイ装置２０ｂを経由して、ヘッドホン１０ｂに送られ、残りの信号等は、ニアアイディスプレイ装置２０ｂ内で処理される。
【００６７】
以上のように、本実施形態では、コントローラ６０からニアアイディスプレイ装置２０ｂ及びヘッドホン１０ｂに送る信号等の全てを一旦、ニアアイディスプレイ装置２０ｂに送ることで、コントローラ６０から伸びるケーブルの本数を少なくしている。また、本実施形態のヘッドホン１０ｂは、ニアアイディスプレイ装置２０ｂから音声信号のみを受信し、しかも、この音声信号の受信にヘッドホンケーブル１９を使用し、さらに、ニアアイディスプレイ装置２０ｂとの機械的な結合には、特別な取付構造が不要であるため、このヘッドホン１０ｂとして一般的に市販されているヘッドホンを用いることができる。また、ヘッドホンケーブル１９及びヘッドホンアーム１２の中に設けられた導線は、右側信号線、左側信号線及びグランド線だけとなり、ヘッドホンケーブル１９及びヘッドポンアーム１２中に設けられた導線は、細いものでよい。したがって、ヘッドホン１０ｂ自体の小型軽量化が図れ、使用者の装着時の不快感を低減できる。また、本実施形態では、第１の実施形態の変形例のように、画像信号線Ｉ２と接続されている端子の少なくとも一方が剥き出しのままになってしまわない。それゆえ、剥き出しになっている端子に対する対策を講じなくても効率よくニアアイディスプレイ装置２０ｂに画像信号を伝送することができる。
【００６８】
次に、図１２〜図１６を用いて、本発明に係るニアアイディスプレイシステムの第３の実施形態について説明する。なお、図１２は、第３の実施形態としてのニアアイディスプレイシステム（非結合時）の斜視図で、図１３は、同ニアアイディスプレイシステムの要部横断面図で、図１４は、同ニアアイディスプレイシステムのアタッチメントの縦断面図で、図１５は、同ニアアイディスプレイシステムの左右の被取付部における電気的接点の配列を示す説明図で、図１６は、同ニアアイディスプレイシステムの回路ブロック図である。
【００６９】
本実施形態のニアアイディスプレイシステムも、図１２に示すように、第１の実施形態と同様、ヘッドホン１０ｃとニアアイディスプレイ装置２０ｃとを備えている。
【００７０】
ヘッドホン１０ｃのヘッドホンアーム１２のほぼ中央部には、コントローラケーブル６１が接続されるケーブル接続部１４ｃが設けられている。また、ヘッドホンアーム１２の左右のスピーカ１１Ｒ，１１Ｌの傍のそれぞれには、ニアアイディスプレイ装置２０ｃが結合する被取付部１６，１６が形成され、この被取付部１６，１６に複数の電気的接点１６ａ，１６ａ，…が設けられている。各被取付部１６，１６の両側には、ニアアイディスプレイ装置２０ｃのヘッドホンアーム１２の長手方向の移動を規制する凸部１７，１７が形成されている。被取付部１６の電気的接点１６ａは、頭部形状に合せた円弧状のヘッドホンアーム１２の外周側に形成され、その内周側にはニアアイディスプレイ装置２０ｃの回り止め１６ｂが形成されている。この回り止め１６ｂは、図１４に示すように、断面Ｃ型のアタッチメント４０ｃのＣの開口幅に合った幅で、電気的接点１６ａと反対側へ突出している。なお、図１４は、被取付部１６にアタッチメント４０ｃを取り付けた際のこれらの断面図である。
【００７１】
図１３に示す収納ケース３６の断面図のように、収納ケース３６の逃げ部３５には、変位機構５０が設けられている。この変位機構５０は、アタッチメント４０ｃに対する画像表示部２１の相対的な位置及び向きを変えるもので、アタッチメント４０ｃに設けられたボール５１と、収納ケース３６の逃げ部３５に形成されたボール受け部５２と、を有して構成されている。ボール５１とボール受け部５２との間には、一定以上の摩擦力が作用しており、ボール５１に対して、ボール受け部５２に一定以上の回転力が作用しない限り、このボール５１に対して、ボール受け部５２が相対回転できないようになっている。このように、変位機構５０をボール５１とボール受け部５２とを有して構成することにより、三次元空間内の独立した３軸の各軸回りで、支持部３１及びこの支持部３１に支持されている画像表示部２１を変位させることができる。なお、ここでは、ボール５１をアタッチメント４０ｃ側に形成したが、ボール５１を収納ケース３６側に形成し、ボール受け部５２をアタッチメント４０ｃ側に形成してもよいことは言うまでもない。
【００７２】
図１４に示すように、断面Ｃ型のアタッチメント４０ｃの内周面には、ヘッドホンアーム１２の被取付部１６に設けられている複数の電気的接点１６ａ，１６ａ，…と接する複数の電気的接点４５ｃ，４５ｃ，…が設けられている。この電気的接点４５ｃには、信号線又は電源線を形成する導線が接続されており、この導線がアタッチメント４０ｃ及びボール５１の内部を通って、収納ケース３６内に伸びている。
【００７３】
ニアアイディスプレイ装置２０ｃ及びヘッドホン１０ｃの信号線等の配線は、図１６に示すように、基本的に、第１の実施形態の変形例と同様である。ヘッドアーム１２には、前述したように、ニアアイディスプレイ装置２０ｃとの電気的接続を行うための複数の電気的接点１６ａ，１６ａが左右の二箇所にあるため、ヘッドホン１０ｃのコントローラ側コネクタ１５ｃから伸びる電源線Ｐ２、制御信号線Ｃ２、画像信号線Ｉ２は、途中で分岐し、二箇所の電気的接点１６ａ，１６ａまで伸びている。ヘッドホンアーム１２の二箇所の複数の電気的接点１６ａ，１６ａのうち、一方は、ニアアイディスプレイ装置２０ｃのアタッチメント４０ｃとヘッドホンアーム１２との機械的結合時に、このアタッチメント４０ｃに設けられている複数の電気的接点４５ｃと接触する。なお、他方の被取付部１６に設けられた電気接点１６ａには、画像信号線Ｉ２を伝搬する信号を消費する終端抵抗を接続することで、効率よく表示処理部２４に画像信号を供給させている。実際には、外観上も考慮して、この他方の電気接点１６ａには、終端抵抗体Ｒを有したキャップ４１ｆを取り付ける。
【００７４】
ところで、ニアアイディスプレイ装置２０ｃが、ヘッドホンアーム１２の右側の被取付部１６に結合する場合と、左側の被取付部１６に結合する場合とでは、ニアアイディスプレイ装置２０ｃの上下が反転するため、右側の被取付部１６の複数の電気的接点１６ａの配列と、左側の被取付部１６の複数の電気的接点１６ａの配列とを変える必要がある。
【００７５】
図１５は、左側の被取付部１６及び右側の被取付部１６のそれぞれを、電気的接点が配列されている面と正対して見たときの配列状態を示した図である。同図に示すように、被取付部１６の複数の電気的接点１６ａとして、接点１〜接点８まで存在し、左側の被取付部１６には、接点１、接点２、接点３、接点４が左から右側へ並び、これらの接点群の下側に、接点５、接点６、接点７、接点８が左側から右側へ並んでいるとする。前述したように、左右の取付位置を変更すると、ニアアイディスプレイ装置２０ｃの上下が反転し、この結果、アタッチメント４０ｃに設けた複数の電気的接点４５ｃも上下が反転する。このため、右側の被取付部１６には、左側の被取付部１６では下側に配置されている接点５、接点６、接点７、接点８が上側に配置され、左側の被取付部では上側に配置されている接点１、接点２、接点３、接点４が下側に配置される。また、右側の被取付部１６において、接点１、接点２、接点３、接点４が右側から左側へ並び、ヘッドホンアーム１２が伸びている方向に、接点５、接点６、接点７、接点８が右側から左側へ並ぶ。
【００７６】
すなわち、ヘッドホン１０ｃをユーザの頭部に装着した際に、略上下方向に並ぶ接点に関しては、左右の被取付部１６，１６で、上下の位置関係が逆になり、ヘッドホン１０ｃをユーザの頭部に装着した際に、略水平方向に並ぶ接点に関しては、左右の被取付部１６，１６で、左右の位置関係が逆になる。
【００７７】
以上のように、本実施形態でも、以上の実施形態と同様に、ヘッドホン１０ｃとニアアイディスプレイ装置２０ｃとの機械的及び電気的接続を解除できるので、ヘッドホン１０ｃ単独で使用することができる。また、ヘッドホン１０ｃとニアアイディスプレイ装置２０ｃとの機械的アタッチメント４０ｃに、両者を電気的に接続する電気的接点１６ａ，４５ｃを設けたので、両者を電気的に接続するためのケーブルが不要になり、外観をよくすることができる。
【００７８】
また、第１の実施形態では、ニアアイディスプレイ装置２０の取付位置の変更に伴う、画像表示部２１の上下の反転を重力センサ２８で検知したが、本実施形態では、この替わりに、ニアアイディスプレイ装置２０ｃのアタッチメント２０ｃの複数の電気的接点のうちの少なくとも一つの接点、又は、ヘッドホンアーム１２の左右の被取付部１６の複数の電気的接点のうちの少なくとも一つの接点の導通状態を検知するセンサを設けてもよい。このセンサの出力は、第１の実施形態における重力センサ２８の出力と同様に、表示処理部２４に送られる。表示処理部２４は、このセンサからの出力により、ニアアイディスプレイ装置２０ｃが右側に取り付けられたか、左側に取り付けられたかを認識し、これに応じて、画像の上下を反転させる。
【００７９】
なお、本実施形態の機械的アタッチメント４０ｃの替わりに、第１の実施形態における第１及び第２の変形例のアタッチメント４０ａ，４０ｂを用い、これに電気的接点を設けても、同様の効果を得ることができることは言うまでもない。
【００８０】
次に、以上の第３の実施形態における変位機構５０の変形例について、図１７を用いて説明する。
【００８１】
本変形例の変位機構５０ａは、第３の実施形態の変位機構５０におけるボール５１の替わりにフレキシブルワイヤ５３を用いたものである。このフレキシブルワイヤ５３は、細いワイヤを編み込んで一定の太さの線材を形成し、細いワイヤの隙間及び一定の太さの回りに樹脂を充填して、一定の荷重を掛けると変形するものの、変形してしまうと再び一定の荷重をかけない限り変形状態を維持するものである。
【００８２】
このフレキシブルワイヤ５３の一端は、収納ケース３６の逃げ部３５に固定され、他端は、アタッチメント４０ｃに固定されている。このように、第３の実施形態におけるボール５１の替わりにフレキシブルワイヤ５３を用いても、このフレキシブルワイヤ５３が各種方向に変形することで、第３の実施形態と同様、三次元空間内の独立した３軸の各軸回りで、支持部３０及びこの支持部３０に支持されている画像表示部２１を変位させることができる。
【００８３】
なお、第３の実施形態の変位機構５０や本変形例の変位機構５０ａは、先に述べた第１及び第２の実施形態、さらに後述の第４の実施形態に適用してもよい。
【００８４】
次に、本発明に係るニアアイディスプレイシステムの第４の実施形態について、図１８及び図１９を用いて説明する。なお、図１８は、第４の実施形態としてのニアアイディスプレイシステムの斜視図で、図１９は、同ニアアイディスプレイシステムの回路ブロック図である。
【００８５】
本実施形態のニアアイディスプレイシステムも、図１８に示すように、以上の各実施形態と同様、ヘッドホン１０ｄとニアアイディスプレイ装置２０ｄとを備えている。
【００８６】
ヘッドホン１０ｄのヘッドホンアーム１２の左右のスピーカ１１Ｒ，１１Ｌの傍のそれぞれには、ニアアイディスプレイ装置２０ｄが結合する被取付部１６，１６が形成され、この被取付部１６，１６に複数の電気的接点１６ｄ，１６ｄ，…が設けられている。各被取付部１６，１６の両側には、ニアアイディスプレイ装置２０ｄのヘッドホンアーム１２の長手方向の移動を規制する凸部１７，１７が形成されている。被取付部１６の電気的接点１６ｄは、頭部形状に合せた円弧状のヘッドホンアーム１２の外周側に形成され、その内周側にはニアアイディスプレイ装置２０ｄの回り止め１６ｂが形成されている。
【００８７】
一方、ヘッドホン１０ｄの被取付部１６と結合するニアアイディスプレイ装置２０ｄのアタッチメント４０ｄは、基本的に第３の実施形態と同じもので、アタッチメント４０ｄの内周面には、ヘッドホンアーム１２の被取付部１６に設けられている複数の電気的接点１６ｄ，１６ｄ，…と接する複数の電気的接点が設けられている。この電気的接点には、信号線又は電源線を形成する導線が接続されており、この導線がアタッチメント４０ｄの内部を通って、収納ケース３６内に伸びている。このアタッチメント４０ｄの幅（ヘッドホンアーム１２が伸びている方向の長さ）Ｗ２は、ヘッドホンアーム１２の被取付部１６の幅Ｗ１より短い。したがって、このアタッチメント４０ｄは、ヘッドホンアーム１２の被取付部１６に対して、ヘッドホンアーム１２が伸びている方向に、（Ｗ１−Ｗ２）の長さ分だけ相対移動可能である。このため、被取付部１６の電気的接点１６ｄとアタッチメント４０ｄの電気的接点との電気的接続を保証するために、被取付部１６の電気的接点１６ｄのヘッドホンアームが伸びている方向の長さを（Ｗ１−Ｗ２）以上の長さにしている。なお、本実施形態においても、ヘッドホン１０ｄをユーザの頭部に装着した際に、略水平方向に並ぶ接点に関しては、左右の被取付部１６，１６で、左右の位置関係が逆になっている。
【００８８】
ニアイアイディスプレイ装置２０ｃ及びヘッドホン１０ｃの信号線等の配線は、図１９に示すように、基本的に、第２の実施形態と同様である。但し、ヘッドアーム１２には、前述したように、ニアアイディスプレイ装置２０ｄとの電気的接続を行うための複数の電気的接点１６ｄ，１６ｄが左右の二箇所にあるため、ヘッドホン１０ｄの各スピーカ１１Ｒ，１１Ｌから伸びる音声信号線Ｓ３ｂは、途中で分岐し、二箇所の電気的接点１６ｄ，１６ｄまで伸びている。ヘッドホンアーム１２の二箇所の複数の電気的接点１６ｄ，１６ｄのうち、一方は、ニアアイディスプレイ装置２０ｄのアタッチメント４０ｄとヘッドホンアーム１２との機械的結合時に、このアタッチメント４０ｄに設けられている複数の電気的接点４５ｄと接触する。
【００８９】
以上のように、本実施形態でも、第３の実施形態と基本的に同様の効果を得ることができる。さらに、本実施形態では、ヘッドホン１０ｄに対してニアアイディスプレイ装置２０ｄを、ヘッドホンアーム１２が伸びている方向に相対移動させることができるので、第３の実施形態よりも、ヘッドホン１０ｄに対するニアアイディスプレイ装置２０ｄの変位に関する自由度を増やすことができる。
【００９０】
次に、本発明に係るニアアイディスプレイシステムの第５の実施形態について、図２０〜図２２を用いて説明する。なお、図２０は、第５の実施形態としてのニアアイディスプレイシステムの斜視図で、図２１は、同ニアアイディスプレイシステムのスピーカ、アタッチメント、変位機構の断面図で、図２２は、同ニアアイディスプレイシステムのスピーカ、外装キャップの断面図である。
【００９１】
本実施形態のニアアイディスプレイシステムも、図２０に示すように、以上の各実施形態と同様、ヘッドホン１０ｅとニアアイディスプレイ装置２０ｅとを備えている。
【００９２】
この実施形態のニアアイディスプレイシステムの回路構成や信号線の配線等は、基本的に、図１９を用いて説明した第４の実施形態のニアアイディスプレイシステムと同じである。但し、以下で説明するように、本実施形態は、以上の実施形態と異なり、ヘッドホン１０ｅのスピーカ１１に、ニアアイディスプレイ装置２０ｅが取り付けられるので、第４の実施形態とは、ヘッドホン１０ｅとニアアイディスプレイ装置２０ｅとの電気的接点の位置が異なっている。
【００９３】
ヘッドホン１０ｅの左右のスピーカ１１Ｒ，１１Ｌの頭部接触側と反対側には、ニアアイディスプレイ装置２０ｅが取り付けられる被取付部１８，１８が形成されている。この被取付部１８は、図２１に示すように、開口縁に内周側へ突出した鍔１８ａが形成されている。この鍔１８ａは、弾性を有する樹脂で形成され、変形可能である。この被取付部１６，１６の溝の底に相当する部分には、音声信号を受信するための複数の電気的接点１６ｄ，１６ｄ，…が設けられている。
【００９４】
ニアアイディスプレイ装置２０ｅは、ユーザの眼前で画像を表示する画像表示部２１と、スピーカ１１Ｒ，１１Ｌの被取付部１８，１８に取付可能なアタッチメント４０ｅと、画像表示部２１をアタッチメント４０ｅに連結する支持部３０と、を備えている。
【００９５】
アタッチメント４０ｅは、図２１に示すように、スピーカ１１の被取付部１８に嵌まり込める形状を成している。具体的には、このアタッチメント４０ｅは、中空円筒状のアタッチメント本体４１ｅと、被取付部１８の底面と被取付部１８の鍔１８ａとの間に入り込む嵌合鍔４２ｅとを有している。嵌合鍔４２ｅは、円筒状のアタッチメント本体４１ｅの底部４３ｅの外周に設けられている。このアタッチメント４０ｅをスピーカ１１に取り付ける際には、スピーカ１１の被取付部１８の鍔１８ａを弾性変形させて、被取付部１８の溝面と鍔１８ａとの間にアタッチメント４０ｅの嵌合鍔４２ｅを嵌め込む。アタッチメント本体４０ｅの底部４３ｅには、スピーカ１１の電気的接点１６ｄに接続される電気的接点４５ｄが設けられている。この電気的接点４５ｄは、アタッチメント４０ｅをスピーカ１１の被取付部１８に取り付けた際に、被取付部１８の電気的接点１６ｄと電気的に接続される。
【００９６】
ところで、前述したように、本実施形態のニアアイディスプレイシステムの回路構成や信号線の配線等は、第４の実施形態と同じで、異なる点は、本実施形態では、収納ケース３６内に設けた回路構成の一部を中空のアタッチメント本体４１ｅ内に設けた点である。また、これらの回路が形成された回路基板４３には、コントローラ６０から伸びるコントローラケーブル６１が接続されている。前述のアタッチメント４０ｅの電気的接点４５ｄには、このコントローラケーブル６１中に含まれている音声信号線が回路基板４３を介して接続されている。また、回路基板４３上に設けられた表示処理部２４や電源２９等からは、支持部３０の収納ケース３６内に設けられているアーム駆動制御部２５（図１９に示す）等につながる制御信号線や、画像表示部２１につながる画像信号線、アーム駆動制御部２５や画像表示部２１に電力を供給するための電源線等が伸びている。
【００９７】
収納ケース３６とアタッチメント４０ｅとの間には、アタッチメント４０ｅに対する収納ケース３６及び画像表示部２１の向きや位置を変える変位機構５０ｅが設けられている。この変位機構５０ｅは、画像表示部２１を上下に移動させるための上下移動用回転軸部材５１ｅと、画像表示部２１を左右に移動させるための左右移動回転軸部材５４ｅと、を有している。上下移動用回転軸部材５１ｅは、アタッチメント４０ｅの電気的接点４５ｄとは反対側の位置に回転可能に取り付けられている軸部５２ｅと、この軸部５２ｅから収納ケース３６側に伸びているブラケット部５３ｅとを有している。左右移動回転軸部材５４ｅは、上下移動用回転軸部材５１ｅのブラケット部５３ｅ及び収納ケース３６のブラケット部３6ｅを貫通している。この変位機構５０ｅは、軸部分と軸受け部分との間に、一定以上の摩擦力が作用しており、収納ケース３６側から一定以上の力が加えられない限り、軸部分に対して軸受け部分が相対的に回転しないようになっている。
【００９８】
ところで、本実施形態では、右のスピーカ１１Ｒにも、左のスピーカ１１Ｌにも、被取付部１８が形成されている。このため、例えば、スピーカ１１Ｒにニアアイディスプレイ装置２０ｅを装着した際には、左のスピーカ１１Ｌの被取付部１８が露出してしまい、外観上好ましくない。そこで、本実施形態では、ニアアイディスプレイ装置２０ｅが装着されていない側のスピーカ１１の被取付部１８を覆うために、外装キャップ４０ｆを備えている。この外装キャップ４０ｆは、図２２に示すように、外観上は、アタッチメント４０ｅと同じで、スピーカ１１の被取付部１８に嵌まり込む鍔部４２ｆを有している。また、この外装キャップは、アタッチメントと同様に中空構造で、その内部には、アタッチメント４０ｅの回路基板４３と同様の仕切り板４３ｆが設けられている。これは、アタッチメント４０ｅに回路基板４３を設けたことにより、この回路基板４３とアタッチメント本体４１ｅの底部４３ｅとの間に空間Ｓｅが形成されたため、この空間Ｓｅと同じ空間Ｓｆを外装キャップ４０ｆに形成することで、左右のスピーカ１１Ｌ，１１Ｒからの音質を同じくするためのである。
【００９９】
以上のように、本実施形態でも、第２及び第４の実施形態と同様に、コントローラ６０から、ニアアイディスプレイ装置２０ｅ及びヘッドホン１０ｅに送る信号等の全てを一旦、ニアアイディスプレイ装置２０ｅに送ることで、コントローラ６０から伸びるケーブルの本数を少なくしている。また、ヘッドホン内に画像信号線を設ける必要がないため、ヘッドホンを軽量化することができる。さらに、外装キャップ４０ｆに画像信号を消費させることができるため、別途、終端抵抗を設ける必要もなくなる。
【０１００】
なお、本実施形態では、コントローラ６０から、ニアアイディスプレイ装置２０ｅ及びヘッドホン１０ｅに送る信号等の全てを一旦、ニアアイディスプレイ装置２０ｅに送るようにしているが、第１及び第３の実施形態のように、コントローラ６０から、ニアアイディスプレイ装置２０ｅ及びヘッドホン１０ｅに送る信号等の全てを一旦、ヘッドホン１０ｅに送り、このヘッドホン１０ｅから、ニアアイディスプレイ装置２０ｅが画像信号や電力を受けるようにしてもよい。
【０１０１】
また、本実施形態では、弾性体の変形により、スピーカ１１にアタッチメント４０ｅの取り付けるようにしているが、例えば、図２３に示すように、アタッチメント４０ｅ又はスピーカ１１のいずれか一方の磁石４９を設け、他方に鉄等の磁性体を設けて、スピーカ１１にアタッチメント４０ｅを取り付けるようにしてもよい。
【０１０２】
なお、以上の各実施形態は、いずれもリアアーム式のヘッドホンを対象にしているが、本発明はこれに限定されるものではなく、ユーザの頭頂部にアームを回すヘッドアーム式のものに適用してもよい。
【図面の簡単な説明】
【０１０３】
【図１】本発明に係る第１の実施形態としてのニアアイディスプレイシステム（結合時）の斜視図である。
【図２】本発明に係る第１の実施形態としてのニアアイディスプレイシステム（非結合時）の斜視図である。
【図３】図１におけるIII−III線断面図である。
【図４】本発明に係る第１の実施形態としてのニアアイディスプレイシステムのアタッチメントの断面図である。
【図５】本発明に係る第１の実施形態としてのニアアイディスプレイシステムの回路ブロック図である。
【図６】本発明に係る第１の実施形態としてのニアアイディスプレイシステムのアタッチメントの第１の変形例の断面図である。
【図７】本発明に係る第１の実施形態としてのニアアイディスプレイシステムのアタッチメントの第２の変形例の断面図である。
【図８】本発明に係る第１の実施形態としてのニアアイディスプレイシステムのヘッドホンの変形例の斜視図である。
【図９】本発明に係る第２の実施形態としてのニアアイディスプレイシステムの斜視図（結合時）である。
【図１０】本発明に係る第２の実施形態としてのニアアイディスプレイシステム（非結合時）の斜視図である。
【図１１】本発明に係る第２の実施形態としてのニアアイディスプレイシステムの回路ブロック図である。
【図１２】本発明に係る第３の実施形態としてのニアアイディスプレイシステム（非結合時）の斜視図である。
【図１３】本発明に係る第３の実施形態としてのニアアイディスプレイシステムの要部横断面図である。
【図１４】本発明に係る第３の実施形態としてのニアアイディスプレイシステムのアタッチメントの縦断面図である。
【図１５】本発明に係る第３の実施形態としてのニアアイディスプレイシステムの左右の被取付部における電気的接点の配列を示す説明図である。
【図１６】本発明に係る第３の実施形態としてのニアアイディスプレイシステムの回路ブロック図である。
【図１７】本発明に係る第３の実施形態としてのニアアイディスプレイシステムの変更機構の変形例の断面図ある。
【図１８】本発明に係る第４の実施形態としてのニアアイディスプレイシステムの斜視図である。
【図１９】本発明に係る第４の実施形態としてのニアアイディスプレイシステムの回路ブロック図である。
【図２０】本発明に係る第５の実施形態としてのニアアイディスプレイシステムの斜視図である。
【図２１】本発明に係る第５の実施形態としてのニアアイディスプレイシステムのスピーカ、アタッチメント、変位機構の断面図である。
【図２２】本発明に係る第５の実施形態としてのニアアイディスプレイシステムのスピーカ、外装キャップの断面図である。
【図２３】本発明に係る第５の実施形態としてのニアアイディスプレイシステムの変形例のスピーカ、アタッチメントの断面図である。
【符号の説明】
【０１０４】
１０，１０ａ，１０ｂ,１０ｃ，１０ｄ，１０ｅ…ヘッドホン
１１…スピーカ                          １２…ヘッドホンアーム
１４，１４ａ，１４ｂ，１４ｃ，１４Ｌ，１４Ｒ…ケーブル接続部
１６…被取付部
２０，２０ｂ，２０ｃ，２０ｄ，２０ｅ…ニアアイディスプレイ装置
２１…画像表示部                        ２２…表示デバイス
２４…表示処理部                        ２５…アーム駆動制御部
２８…重力センサ                        ２９…電源回路
３０…支持部                            ３１…ディスプレイアーム
３６…収納ケース                        
４０，４０ｃ，４０ｄ，４０ｅ…アタッチメント
５０，５０ａ，５０ｅ…変位機構                  ５１…ボール
５２…ボール受け部                      ５３…フレキシブルワイヤ
６０…コントローラ
【図１】
2006203264.tif 000003
【図２】
2006203264.tif 000004
【図３】
2006203264.tif 000005
【図４】
2006203264.tif 000006
【図５】
2006203264.tif 000007
【図６】
2006203264.tif 000008
【図７】
2006203264.tif 000009
【図８】
2006203264.tif 000010
【図９】
2006203264.tif 000011
【図１０】
2006203264.tif 000012
【図１１】
2006203264.tif 000013
【図１２】
2006203264.tif 000014
【図１３】
2006203264.tif 000015
【図１４】
2006203264.tif 000016
【図１５】
2006203264.tif 000017
【図１６】
2006203264.tif 000018
【図１７】
2006203264.tif 000019
【図１８】
2006203264.tif 000020
【図１９】
2006203264.tif 000021
【図２０】
2006203264.tif 000022
【図２１】
2006203264.tif 000023
【図２２】
2006203264.tif 000024
【図２３】
2006203264.tif 000025